【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
少なくとも、中央に音像を定位させるオーディオ信号を含むデジタルオーディオ信号が入力されるデジタルオーディオ信号出力装置であって、
前記デジタルオーディオ信号をフィルタリングして出力するスローロールオフ特性デジタルフィルタと、
前記デジタルオーディオ信号をフィルタリングして出力するシャープロールオフ特性デジタルフィルタと、
前記デジタルオーディオ信号において前記中央に音像を定位させるオーディオ信号成分の割合が所定の値より大きいか否か比較判定した結果を示す情報を出力する比較判定部と、
前記比較判定した結果を示す情報に応じて、前記スローロールオフ特性デジタルフィルタからの出力と、前記シャープロールオフ特性デジタルフィルタからの出力とを切換えて出力する切換え部と、
を備えることを特徴とするデジタルオーディオ信号出力装置。
【請求項２】
請求項１記載のデジタルオーディオ信号出力装置であって、
前記切換え部は、前記中央に音像を定位させるオーディオ信号成分の割合が所定の値より大きい結果を示す情報が入力された場合、前記シャープロールオフ特性デジタルフィルタからの出力に切換え、前記中央に音像を定位させるオーディオ信号成分の割合が所定の値より小さい結果を示す情報が入力された場合、前記スローロールオフ特性デジタルフィルタからの出力に切換えること
を特徴とするデジタルオーディオ信号出力装置。
【請求項３】
請求項１又は２記載のデジタルオーディオ信号出力装置であって、
前記比較判定部から、比較判定した結果を示す情報が入力され、前記切換え部に、前回比較判定した結果を示す情報を出力してから所定の時間の後、最新の比較判定した結果を示す情報を出力するＨＯＬＤ部をさらに備え、
前記切換え部は、前記ＨＯＬＤ部から入力された情報に基づいて前記スローロールオフ特性デジタルフィルタからの出力と前記シャープロールオフ特性デジタルフィルタからの出力とを切換えること
を特徴とするデジタルオーディオ信号出力装置。
【請求項４】
請求項１乃至３のいずれか１項に記載のデジタルオーディオ信号出力装置であって、
前記比較判定部に要求信号を出力する要求信号出力部をさらに備え、
前記比較判定部は、前記要求信号出力部から要求信号を受信した場合に、デジタルオーディオ信号において中央に音像を定位させるオーディオ信号成分の割合の比較判定を行うこと
を特徴とするデジタルオーディオ信号出力装置。
【請求項５】
請求項４に記載のデジタルオーディオ信号出力装置であって、
前記要求信号出力部は、オーディオ信号の出力レベルが十分小さい時、又は、楽曲が始まる時に、要求信号を出力すること
を特徴とするデジタルオーディオ信号出力装置。
【請求項６】
請求項１乃至５のいずれか１項に記載のデジタルオーディオ信号出力装置であって、
センターチャンネルオーディオ信号とレフトチャンネルオーディオ信号とライトチャンネルオーディオ信号とが、レフトトラックオーディオ信号とライトトラックオーディオ信号とにダウンミックスされたデジタルオーディオ信号が入力され、
前記比較判定部は、前記レフトトラックオーディオ信号とライトトラックオーディオ信号との信号和と、前記レフトトラックオーディオ信号と前記ライトトラックオーディオ信号との信号差との割合が、所定の値より大きいか否か比較判定した結果を示す情報を出力すること
を特徴とするデジタルオーディオ信号出力装置。
【請求項７】
請求項６記載のデジタルオーディオ信号出力装置であって、
前記切換え部は、前記レフトトラックオーディオ信号とライトトラックオーディオ信号
との信号和と、前記レフトトラックオーディオ信号と前記ライトトラックオーディオ信号
との信号差との割合が、所定の値より大きい結果を示す情報が入力された場合、前記シャ
ープロールオフ特性デジタルフィルタからの出力に切換え、前記レフトトラックオーディ
オ信号とライトトラックオーディオ信号との信号和と、前記レフトトラックオーディオ信
号と前記ライトトラックオーディオ信号との信号差との割合が、所定の値より小さい結果
を示す情報が入力された場合、前記スローロールオフ特性デジタルフィルタからの出力に
切換えること
を特徴とするデジタルオーディオ信号出力装置。
【請求項８】
請求項１乃至７のいずれか１項に記載のデジタルオーディオ信号出力装置であって、
前記デジタルオーディオ信号出力装置には、前記入力されるデジタルオーディオ信号に関する情報がさらに入力され、
前記デジタルオーディオ信号に関する情報と、前記２つのデジタルフィルタのうち何れかのデジタルフィルタを示す情報とを対応付けて記憶する記憶部と、
前記記憶部に、前記入力されたデジタルオーディオ信号に関する情報と一致するデジタルオーディオ信号に関する情報が含まれている場合、該デジタルオーディオ信号に関する情報と対応付けられたデジタルフィルタを示す情報を前記記憶部から読出し、該デジタルフィルタを示す情報を前記切換え部に出力する切換え制御部と、
前記記憶部に、前記入力されたデジタルオーディオ信号に関する情報と一致するデジタルオーディオ信号に関する情報が含まれている場合、前記比較判定部の動作を停止させる停止部と、を有し、
前記切換え部は、前記切換え制御部から出力された情報に示されるデジタルフィルタからの出力に切換えること
を特徴とするデジタルオーディオ信号出力装置。
【請求項９】
請求項８記載のデジタルオーディオ信号出力装置であって、
前記記憶部に、前記入力されたデジタルオーディオ信号に関する情報と一致するデジタルオーディオ信号に関する情報が含まれていない場合、前記入力されたデジタルオーディオ信号に関する情報と、前記切換え部が出力を切換えたデジタルフィルタを示す情報とを対応付けて前記記憶部に記憶させる登録部をさらに有すること
を特徴とするデジタルオーディオ信号出力装置。
【請求項１０】
請求項８又は９記載のデジタルオーディオ信号出力装置であって、
前記スローロールオフ特性デジタルフィルタ、又は、前記シャープロールオフ特性デジタルフィルタを示す情報が入力される入力部、をさらに有し、
前記停止部は、前記比較判定部の動作を停止させ、
前記切換え部は、前記入力部に入力された情報に示されるデジタルフィルタからの出力に切換えること
を特徴とするデジタルオーディオ信号出力装置。
【手続補正２】
【補正対象書類名】明細書
【補正対象項目名】００１１
【補正方法】変更
【補正の内容】
【００１１】
本発明は上記の目的を達成するためになされたもので、少なくとも、中央に音像を定位させるオーディオ信号を含むデジタルオーディオ信号が入力されるデジタルオーディオ信号出力装置であって、前記デジタルオーディオ信号をフィルタリングして出力するスローロールオフ特性デジタルフィルタと、前記デジタルオーディオ信号をフィルタリングして出力するシャープロールオフ特性デジタルフィルタと、前記デジタルオーディオ信号において前記中央に音像を定位させるオーディオ信号成分の割合が所定の値より大きいか否か比較判定した結果を示す情報を出力する比較判定部と、前記比較判定した結果を示す情報に応じて、前記スローロールオフ特性デジタルフィルタからの出力と、前記シャープロールオフ特性デジタルフィルタからの出力とを切換えて出力する切換え部とを備えることを特徴とする。
【手続補正３】
【補正対象書類名】明細書
【補正対象項目名】００１３
【補正方法】変更
【補正の内容】
【００１３】
具体的には、例えば、前記デジタルオーディオ信号出力装置には、前記入力されるデジタルオーディオ信号に関する情報がさらに入力され、デジタルオーディオ信号に関する情報と、前記複数のデジタルフィルタのうち何れかのデジタルフィルタを示す情報とを対応付けて記憶する記憶部と、前記記憶部に、前記入力されたデジタルオーディオ信号に関する情報と一致するデジタルオーディオ信号に関する情報が含まれている場合、該デジタルオーディオ信号に関する情報と対応付けられたデジタルフィルタを示す情報を前記記憶部から読出し、該デジタルフィルタを示す情報を前記切換え部に出力する切換え制御部と、前記記憶部に、前記入力されたデジタルオーディオ信号に関する情報と一致するデジタルオーディオ信号に関する情報が含まれている場合、前記比較判定部の動作を停止させる停止部と、を有し、前記切換え部は、前記切換え制御部から出力された情報に示されるデジタルフィルタからの出力に切換えることを特徴とする。
【手続補正４】
【補正対象書類名】明細書
【補正対象項目名】００８６
【補正方法】変更
【補正の内容】
【００８６】
一方、マイコン２０の停止指示部２１２は、第１のデジタルミキサー１４、第２のデジタルミキサー１５、比較判定部１６の動作を停止させる（Ｓ５０５）。具体的には、例えば、停止指示部２１２は、切換え制御部２１１によるＳ５０２の判定の結果、入力されたＴＯＣ情報が含まれている場合、第１のデジタルミキサー１４、第２のデジタルミキサー１５、比較判定部１６に、各々の動作を停止させるための信号を出力する。この出力は、上記Ｓ５０４の動作、即ち、切換え制御部２１１がＨＯＬＤ部１７にフィルタを示す情報を出力する動作の後でもよく、先でもよい。
【手続補正５】
【補正対象書類名】明細書
【補正対象項目名】００９９
【補正方法】変更
【補正の内容】
【００９９】
１０：デジタルオーディオ信号処理装置、１１入力部、１２：スローロールオフ型デジタルフィルタ、１３：シャープロールオフ型デジタルフィルタ、１４：第１のデジタルミキサー、１５：第２のデジタルミキサー、１６：比較判定部、１７：ＨＯＬＤ部、１８：フィルタ切換え部、１９：出力部、２０：マイコン、２１：ユーザーインターフェース、１６：比較判定部、３０：判定条件、３１：中央に音像定位させる割合、３２：デジタルフィルタ、２０１：ＭＰＵ、２０２：メモリ、２０３：記憶部、２１１：切換え制御部、２１２：停止指示部、２１３：登録部、２３１：テーブル、２３１１：ＴＯＣ情報、２３１２：デジタルフィルタ